(57)【要約】【課題】互いに連通した２つの空間を有する部屋内に空気清浄装置を設置する場合に、部屋又は空気清浄装置に関して満たすべき条件を適切に設定する。【解決手段】互いに連通した２つの空間を有する部屋内に空気清浄装置を設置する場合に部屋又は空気清浄装置に関して満たすべき条件を設定するために、コンピュータが、部屋に関する情報として、部屋内における空気清浄装置の設置場所での気流の速さに影響を及ぼすパラメータに関する第一情報を記憶し、気流の速さと空気清浄装置による空気の浄化度合いとの関係を示す第二情報を記憶し、２つの空間のうち、一方の空間内の空気を空気清浄装置によって浄化した場合の他方の空間内の空気状態に対して設定された目標を記憶し、第一情報に基づき、設置場所での前記気流の速さを算出し、算出した気流の速さ及び第二情報に基づき、上記の目標が達成される条件を特定するための演算処理を実行する。【選択図】図９
2018004156.tif 000002
【特許請求の範囲】
【請求項１】
互いに連通した２つの空間を有する部屋内に空気清浄装置を設置する場合に前記部屋又は前記空気清浄装置に関して満たすべき条件を設定するための条件設定支援装置であって、
前記部屋に関する情報として、前記部屋内における前記空気清浄装置の設置場所での気流の速さに影響を及ぼすパラメータに関する第一情報を記憶する第一情報記憶部と、
前記気流の速さと前記設置場所に設置された前記空気清浄装置による空気の浄化度合いとの関係を示す第二情報を記憶する第二情報記憶部と、
前記２つの空間のうち、一方の空間内の空気を前記設置場所に設置された前記空気清浄装置によって浄化した場合の他方の空間内の空気状態に対して設定された目標を記憶する目標記憶部と、
前記第一情報に基づき、前記設置場所での前記気流の速さを算出し、算出した前記気流の速さ及び前記第二情報に基づき、前記目標が達成される前記条件を特定するための演算処理を実行する処理実行部と、を有することを特徴とする条件設定支援装置。
【請求項２】
前記処理実行部は、前記目標が達成されるのに必要な前記空気清浄装置の設置台数を特定するための前記演算処理を実行することを特徴とする請求項１に記載の条件設定支援装置。
【請求項３】
前記処理実行部は、前記目標が達成されるのに必要な前記空気清浄装置の設置台数として、前記一方の空間と前記他方の空間との境界部分に複数の前記空気清浄装置を所定間隔毎に並べた場合の設置台数を特定するための前記演算処理を実行することを特徴とする請求項２に記載の条件設定支援装置。
【請求項４】
前記第一情報記憶部は、前記部屋の容積、前記部屋における換気の規模、前記空気清浄装置の前記配置場所付近に前記気流を変化させる気流変化部材が配置されている場合の該気流変化部材のサイズのうち、少なくとも一つに関する前記第一情報を記憶することを特徴とする請求項１乃至３のいずれか一項に記載の条件設定支援装置。
【請求項５】
前記設置場所に設置されることで前記気流の速さに応じた浄化度合いにて前記一方の空間内の空気を脱臭する前記空気清浄装置のサイズ及びタイプ、並びに前記部屋における前記空気清浄装置の配置パターンのうち、少なくとも一つに関する第三情報を記憶する第三情報記憶部を有し、
前記目標記憶部は、前記一方の空間内の空気を前記設置場所に設置された前記空気清浄装置によって脱臭した場合の前記他方の空間内における臭気強度に対して設定された前記目標を記憶し、
前記処理実行部は、前記第一情報、前記第二情報及び前記第三情報に基づいて前記演算処理を実行することを特徴とする請求項１乃至４のいずれか一項に記載の条件設定支援装置。
【請求項６】
前記第一情報、前記第二情報及び前記第三情報のうち、少なくとも一つの情報についての入力を受け付ける入力受付部を有し、
前記入力受付部が入力を受け付けた前記少なくとも一つの情報は、前記第一情報記憶部、前記第二情報記憶部及び前記第三情報記憶部のうち、対応する記憶部に記憶されることを特徴とする請求項５に記載の条件設定支援装置。
【請求項７】
前記第三情報記憶部は、前記空気清浄装置が横置き式のタイプであるのか縦置き式のタイプであるのかを示す前記第三情報を記憶することを特徴とする請求項５に記載の条件設定支援装置。
【請求項８】
互いに連通した２つの空間を有する部屋内に空気清浄装置を設置する場合に前記部屋又は前記空気清浄装置に関して満たすべき条件を設定するための条件設定支援方法であって、
コンピュータが、前記部屋に関する情報として、前記部屋内における前記空気清浄装置の設置場所での気流の速さに影響を及ぼすパラメータに関する第一情報を記憶し、
コンピュータが、前記気流の速さと前記設置場所に設置された前記空気清浄装置による空気の浄化度合いとの関係を示す第二情報を記憶し、
コンピュータが、前記２つの空間のうち、一方の空間内の空気を前記設置場所に設置された前記空気清浄装置によって浄化した場合の他方の空間内の空気状態に対して設定された目標を記憶し、
コンピュータが、前記第一情報に基づき、前記設置場所での前記気流の速さを算出し、算出した前記気流の速さ及び前記第二情報に基づき、前記目標が達成される前記条件を特定するための演算処理を実行することを特徴とする条件設定支援方法。
【発明の詳細な説明】
【技術分野】
【０００１】
本発明は、条件設定支援装置及び条件設定支援方法に係り、特に、互いに連通した２つの空間を有する部屋内に空気清浄装置を設置する場合に満たすべき条件を設定するための条件設定支援装置及び条件設定支援方法に関する。
【背景技術】
【０００２】
間仕切り等によって複数の空間に仕切られた部屋中のある空間（以下、第一空間）の空気によって他の空間（以下、第二空間）の空気が汚染されてしまうのを防止するための技術は、既に開発されている。一例を挙げて説明すると、特許文献１及び２には、エアカーテンやパーテーションによって区画された第一空間（例えば、喫煙空間）の空気を空気清浄装置によって浄化することで第二空間（例えば、禁煙空間）の空気を清浄に維持する技術が記載されている。
【先行技術文献】
【特許文献】
【０００３】
【特許文献１】特許第３６２７１６５号公報
【特許文献２】特許第４４６８７１４号公報
【発明の概要】
【発明が解決しようとする課題】
【０００４】
しかしながら、特許文献１及び２に記載された技術を用いたとしても、エアカーテン等によって第一空間とは仕切られた第二空間内に第一空間の空気が漏れ込む可能性がある。一方、空気清浄装置による空気の浄化度合いは、その設置場所や設置パターンに応じて変化する。また、空気清浄装置の中には、その設置場所における気流の速さに応じて空気を浄化するものが存在する。このような装置を部屋内に設置するにあたっては、当該装置の設置場所での気流の速さを考慮して装置の設置台数や部屋の構造等の条件を設定する必要がある。
【０００５】
そこで、本発明は、上記の課題に鑑みてなされたものであり、その目的とするところは、互いに連通した２つの空間を有する部屋内に空気清浄装置を設置する場合に、部屋又は空気清浄装置に関して満たすべき条件を適切に設定することが可能な条件設定支援装置及び条件設定支援方法を提供することである。
【課題を解決するための手段】
【０００６】
前記課題は、本発明の条件設定支援装置によれば、互いに連通した２つの空間を有する部屋内に空気清浄装置を設置する場合に前記部屋又は前記空気清浄装置に関して満たすべき条件を設定するための条件設定支援装置であって、（Ａ）前記部屋に関する情報として、前記部屋内における前記空気清浄装置の設置場所での気流の速さに影響を及ぼすパラメータに関する第一情報を記憶する第一情報記憶部と、（Ｂ）前記気流の速さと前記設置場所に設置された前記空気清浄装置による空気の浄化度合いとの関係を示す第二情報を記憶する第二情報記憶部と、（Ｃ）前記２つの空間のうち、一方の空間内の空気を前記設置場所に設置された前記空気清浄装置によって浄化した場合の他方の空間内の空気状態に対して設定された目標を記憶する目標記憶部と、（Ｄ）前記第一情報に基づき、前記設置場所での前記気流の速さを算出し、算出した前記気流の速さ及び前記第二情報に基づき、前記目標が達成される前記条件を特定するための演算処理を実行する処理実行部と、を有することにより解決される。
【０００７】
上記のように構成された本発明の条件設定支援装置では、部屋内における空気清浄装置の設置場所での気流の速さに影響を及ぼすパラメータに関する第一情報と、気流の速さと空気清浄装置による空気の浄化度合いとの関係を示す第二情報と、を記憶する。また、部屋内において互いに連通する２つの空間のうち、一方の空間内の空気を空気清浄装置によって浄化したときの他方の空間内の空気状態に対して設定された目標を記憶する。そして、第一情報に基づいて空気清浄装置の設置場所での気流の速さを算出し、算出した気流の速さと第二情報とに基づき、上記の目標が達成できる条件を特定する。このような構成であれば、部屋における空気清浄装置の設置場所での気流の速さを考慮しつつ、当該空気清浄装置の設置台数や上記の部屋の構造等を適切に設定することが可能となる。
【０００８】
また、上記の条件設定支援装置において、前記処理実行部は、前記目標が達成されるのに必要な前記空気清浄装置の設置台数を特定するための前記演算処理を実行するとよい。
上記の構成であれば、部屋における空気清浄装置の設置場所での気流の速さを考慮しつつ、上記の目標が達成されるのに必要な空気清浄装置の設置台数を特定することが可能となる。
【０００９】
また、上記の条件設定支援装置において、前記処理実行部は、前記目標が達成されるのに必要な前記空気清浄装置の設置台数として、前記一方の空間と前記他方の空間との境界部分に複数の前記空気清浄装置を所定間隔にて並べた場合の設置台数を特定するための前記演算処理を実行すると、尚よい。
上記の構成であれば、目標が達成されるのに必要な空気清浄装置の設置台数であって、部屋において一方の空間と他方の空間との境界部分に複数の空気清浄装置を所定間隔毎に並べる場合に必要となる設置台数を特定することが可能となる。
【００１０】
また、上記の条件設定支援装置において、前記第一情報記憶部は、前記部屋の容積、前記部屋における換気の規模、前記空気清浄装置の前記配置場所付近に前記気流を変化させる気流変化部材が配置されている場合の外気流変化部材のサイズのうち、少なくとも一つに関する前記第一情報を記憶すると、更によい。
上記の構成であれば、部屋に関する第一情報として、部屋の容積、部屋における換気の規模、空気清浄装置の配置場所付近に気流を変化させる気流変化部材が配置されている場合の該気流変化部材のサイズのうち、少なくとも一つに関する情報に基づいて、空気清浄装置又は部屋が満たすべき条件を適切に設定することが可能となる。
【００１１】
また、上記の条件設定支援装置において、前記設置場所に設置されることで前記気流の速さに応じた浄化度合いにて前記一方の空間内の空気を脱臭する前記空気清浄装置のサイズ及びタイプ、並びに前記部屋における前記空気清浄装置の配置パターンのうち、少なくとも一つに関する第三情報を記憶する第三情報記憶部を有し、前記目標記憶部は、前記一方の空間内の空気を前記設置場所に設置された前記空気清浄装置によって脱臭した場合の前記他方の空間内における臭気強度に対して設定された前記目標を記憶し、前記処理実行部は、前記第一情報、前記第二情報及び前記第三情報に基づいて前記演算処理を実行すると、尚一層よい。
上記の構成では、部屋における空気清浄装置の設置場所での気流の速さの他、空気清浄装置の形状や配置パターンを考慮しつつ、当該空気清浄装置の設置台数や部屋の構造等を適切に設定することが可能となる。
【００１２】
また、上記の条件設定支援装置において、前記第一情報、前記第二情報及び前記第三情報のうち、少なくとも一つの情報についての入力を受け付ける入力受付部を有し、前記入力受付部が入力を受け付けた前記少なくとも一つの情報は、前記第一情報記憶部、前記第二情報記憶部及び前記第三情報記憶部のうち、対応する記憶部に記憶されると、尚更よい。
上記の構成では、第一情報、第二情報及び第三情報のうちの少なくとも一つが入力され、入力情報に基づいて、空気清浄装置の設置台数や部屋の構造等が適切に設定されるようになる。これにより、入力情報毎に最適な条件を設定することが可能となる。
【００１３】
また、上記の条件設定支援装置において、前記第三情報記憶部は、前記空気清浄装置が横置き式のタイプであるのか縦置き式のタイプであるのかを示す前記第三情報を記憶することとしてもよい。
上記の構成では、空気清浄装置が横置き式のタイプであるのか縦置き式のタイプであるのかを示す第三情報を記憶し、かかる情報に基づいて、空気清浄装置の設置台数や部屋の構造等を適切に設定することが可能となる。
【００１４】
また、前述の課題は、本発明の条件設定支援方法によれば、互いに連通した２つの空間を有する部屋内に空気清浄装置を設置する場合に前記部屋又は前記空気清浄装置に関して満たすべき条件を設定するための条件設定支援方法であって、（Ａ）コンピュータが、前記部屋に関する情報として、前記部屋内における前記空気清浄装置の設置場所での気流の速さに影響を及ぼすパラメータに関する第一情報を記憶し、（Ｂ）コンピュータが、前記気流の速さと前記設置場所に設置された前記空気清浄装置による空気の浄化度合いとの関係を示す第二情報を記憶し、（Ｃ）コンピュータが、前記２つの空間のうち、一方の空間内の空気を前記設置場所に設置された前記空気清浄装置によって浄化した場合の他方の空間内の空気状態に対して設定された目標を記憶し、（Ｄ）コンピュータが、前記第一情報に基づき、前記設置場所での前記気流の速さを算出し、算出した前記気流の速さ及び前記第二情報に基づき、前記目標が達成される前記条件を特定するための演算処理を実行することにより解決される。
上記の方法によれば、部屋における空気清浄装置の設置場所での気流の速さを考慮した上で、当該空気清浄装置の設置台数や上記の部屋の構造等を適切に設定することが可能となる。
【発明の効果】
【００１５】
本発明によれば、部屋における空気清浄装置の設置場所での気流の速さを考慮しつつ、当該空気清浄装置の設置台数や上記の部屋の構造等を適切に設定することが可能となる。この結果、部屋中の一つの空間（一方の空間）から他方の空間への空気の漏れ込みを効果的に抑制することが可能な空気清浄装置の設置が実現されるようになる。
【図面の簡単な説明】
【００１６】
【図１】対象部屋の平面図である。
【図２】空気清浄装置の構成を示す図である。
【図３】空気清浄装置の構成部品の分解図である。
【図４】第一のタイプの空気清浄装置の外観図である。
【図５】第二のタイプの空気清浄装置の外観図である。
【図６】本発明の一実施形態に係る条件設定支援装置の構成を示す図である。
【図７Ａ】計算画面の一例を示す図である（その１）。
【図７Ｂ】計算画面の一例を示す図である（その２）。
【図８Ａ】空気清浄装置の配置パターンの説明図である（その１）。
【図８Ｂ】空気清浄装置の配置パターンの説明図である（その２）。
【図９】条件設定フローの流れを示す図である。
【発明を実施するための形態】
【００１７】
以下、本発明の一実施形態（以下、本実施形態）に係る条件設定支援装置及び条件設定支援方法について説明する。なお、以下に説明する実施形態は、本発明の理解を容易にするための一例にすぎず、本発明を限定するものではない。すなわち、本発明は、その趣旨を逸脱することなく、変更、改良され得ると共に、本発明にはその等価物が含まれることは勿論である。また、後述する各種画面（例えば、図７Ａ及び図７Ｂに図示の計算画面）のデザインやレイアウト等については、あくまでも一例であり、ユーザの嗜好や機器仕様に応じて適宜変更してもよい。
【００１８】
＜＜本実施形態の条件設定支援装置の概要＞＞
先ず、本実施形態の条件設定支援装置（以下、本装置１）について、その概要を説明する。本装置１は、対象部屋Ｒの設計者によって使用され、対象部屋Ｒの室内環境（特に、空気状態）を所望の状態に整えるための室内レイアウトを決定するために用いられる。
【００１９】
具体的に説明すると、対象部屋Ｒは、図１に示すように、喫煙エリアＡｒ１及び禁煙エリアＡｒ２を有する部屋である。図１は、対象部屋Ｒの模式平面図であり、同図には方位を示す矢印及び符号が記載されている。喫煙エリアＡｒ１及び禁煙エリアＡｒ２は、互いに連通した２つの空間であり、対象部屋Ｒの北側半分のエリアが喫煙エリアＡｒ１であり、南側半分のエリアが禁煙エリアＡｒ２である。なお、喫煙エリアＡｒ１は、本発明の「一方の空間」に相当し、禁煙エリアＡｒ２は、本発明の「他方の空間」に相当する。
【００２０】
また、対象部屋Ｒの室内空間中、喫煙エリアＡｒ１と禁煙エリアＡｒ２との境界部分Ａｒ３には、空気清浄装置ＣＭが設置される。この空気清浄装置ＣＭは、喫煙エリアＡｒ１内の空気を浄化（厳密には脱臭）し、喫煙エリアＡｒ１内の臭気（厳密には臭気物質）が禁煙エリアＡｒ２内の空気に漏れ込むのを抑えるために設置される。なお、空気清浄装置ＣＭの詳細については後に詳述する。
【００２１】
そして、対象部屋Ｒの設計者は、対象部屋Ｒ内に空気清浄装置ＣＭを設置する場合に当該装置ＣＭに関して満たすべき条件を設定する際に本装置１を利用する。より詳しく説明すると、上記の設計者は、本装置１の機能を利用して、禁煙エリアＡｒ２内における臭気強度を所定値以下に抑えるために最低限必要な空気清浄装置ＣＭの設置台数等を特定する。これにより、対象部屋Ｒの境界部分Ａｒ３に設置される空気清浄装置ＣＭに関する条件として、禁煙エリアＡｒ２の空気状態（具体的には、臭気強度）を所望の状態に維持することが可能な条件が特定される。そして、設計者は、対象部屋Ｒを設計する際に上記の条件、すなわち対象部屋Ｒの境界部分Ａｒ３に設置される空気清浄装置ＣＭの台数を設定（採用）する。
【００２２】
＜＜空気清浄装置ＣＭについて＞＞
次に、本実施形態の空気清浄装置ＣＭについて説明する。本実施形態の空気清浄装置ＣＭは、室内に設置されて室内空間を緑化する機能と、室内の空気を浄化する機能とを有する空気浄化型緑化装置である。以下、図２及び３を参照しながら、空気清浄装置ＣＭの機器構成について説明する。図２は、縦置き型の空気清浄装置ＣＭの模式側面図である。図３は、空気清浄装置ＣＭの構成部品である植栽ボックスＣｂの分解図である。なお、図３では、図示の都合上、緑化用植物の図示を省略している。
【００２３】
本実施形態の空気清浄装置ＣＭは、図２に示すように、植栽部Ｃ１、補助脱臭部Ｃ２、制御部Ｃ３からなる。植栽部Ｃ１は、植栽ボックスＣｂに植えられた緑化用植物Ｃｐ（例えば、観葉植物）によって構成される。この緑化用植物Ｃｐは、空気清浄装置ＣＭの外観の一部をなしており、脱臭機能を備えると共に同装置の意匠性を向上させる。なお、植栽ボックスＣｂは、図３に示すように、底抜け状の外ケースＣｂ３内に土壌ケースＣｂ２及び植栽ポットＣｂ１を収容して外ケースＣｂ３の底側開口部に後カバーＣｂ４を取り付けることで組み立てられてユニット化している。また、植栽部Ｃ１における植栽ボックスＣｂの個数（ユニット数）は、当該植栽ボックスＣｂを上下方向に積み上げたり左右方向に並べたりすることで適宜変更することが可能である。
【００２４】
補助脱臭部Ｃ２は、植栽部Ｃ１による脱臭作用を補助し、植栽ボックスＣｂに充填された土壌Ｃｓと、光触媒であるタングステンフィルタＣｔと、不図示の活性炭フィルタと、タングステンフィルタＣｔ用に用いられる不図示の光源とを有する。そして、補助脱臭部Ｃ２は、被浄化空気が空気清浄装置ＣＭ内を流れる過程で土壌Ｃｓ、タングステンフィルタＣｔ、活性炭フィルタを順次通過することにより、被浄化空気を脱臭する。制御部Ｃ３は、マイコンからなり、空気清浄装置ＣＭ内に設けられたＤＣファンＣｆ等の駆動機器やタングステンフィルタＣｔ用の光源を制御する。
【００２５】
以上の構成を有する本実施形態の空気清浄装置ＣＭは、その設置場所における空気の気流の速さに応じた浄化度合いにて当該空気（被浄化空気）を脱臭する。より具体的に説明すると、被浄化空気の気流は、空気清浄装置ＣＭの緑化面（緑化用植物Ｃｐが現れている面）に向かって流れてきて当該緑化面から装置内に進入する。空気清浄装置ＣＭ内に進入した被浄化空気は、土壌Ｃｓ内を通過した後、ＤＣファンＣｆの駆動力によって装置内に形成された風路に沿って移動する。また、被浄化空気は、風路内を移動する間にタングステンフィルタＣｔ及び活性炭フィルタを順次通過することで浄化（脱臭）される。そして、被浄化空気は、風路の末端に達すると、当該末端に設けられた排気口から装置外へ排出されるようになる。
【００２６】
以上により、被浄化空気は、臭気物質が除去された状態で空気清浄装置ＣＭの外へ排出されるようになる。なお、本実施形態の空気清浄装置ＣＭによって除去される主な臭気物質は、たばこ臭の原因物質（例えば、アセトアルデヒド、酢酸、アンモニア）である。また、本実施形態の空気清浄装置ＣＭにおいて、被浄化空気は、図２に示すように、緑化面と同じ側から排出されることになっている。ただし、空気清浄装置ＣＭにおける被浄化空気の排気口の形成箇所については、特に限定されるものではなく、任意に決定することが可能である。
【００２７】
また、本実施形態の空気清浄装置ＣＭについては、タイプが２種類あり、具体的には、図４に図示の縦置き式のタイプと、図５に図示の横置き式のタイプとがある。縦置き式の空気清浄装置ＣＭは、図４に示すように横幅が比較的短い一方で高さ及び奥行が十分に長くなっており、例えば間仕切り（パーテーション）として利用可能である。横置き式の空気清浄装置ＣＭは、図５に示すように奥行及び高さが幾分低い一方で横幅が十分に長くなっており、例えば腰掛け（ベンチ）として利用可能である。
【００２８】
＜＜本装置の構成について＞＞
次に、本装置１の構成について説明する。本装置１は、対象部屋Ｒの設計者が管理するコンピュータ（より具体的には、設計者が管理するＰＣやスマートフォン、若しくはタブレット型端末）によって構成されている。本装置１を構成するコンピュータは、一般的なコンピュータと同様のハードウェア構成となっており、ＣＰＵと、メモリと、ハードディスクドライブと、入力装置と、出力装置とを備えている。また、本装置１を構成するコンピュータには、本装置１の機能を発揮させるためのコンピュータプログラム（以下、条件設定支援用プログラム）がインストールされている。
【００２９】
本装置１の構成について機能面から改めて説明すると、本装置１は、図６に示すように、入力受付部１１、第一情報記憶部１２、第二情報記憶部１３、第三情報記憶部１４、目標記憶部１５、処理実行部１６及び出力部１７を有する。図６は、本装置１が有する機能部を示すブロック図である。上記の各機能部は、本装置１を構成するコンピュータのハードウェア機器がソフトウェアとしての条件設定支援用プログラムと協働することで実現される。以下、各機能部について、それぞれ説明する。
【００３０】
入力受付部１１は、ユーザ（具体的には対象部屋Ｒの設計者）による情報の入力を受け付けるものである。より具体的に説明すると、本装置１を構成するコンピュータにおいて条件設定支援用プログラムが起動すると、本装置１のディスプレイに図７Ａ及び図７Ｂに図示の計算画面が描画される。入力受付部１１は、計算画面を通じて行われる各種情報の入力を受け付ける。図７Ａ及び図７Ｂは、条件設定支援用の計算画面の一例を示す図である。なお、図７Ａに図示の画面と、図７Ｂに図示の画面とは、画面スクロール操作によって切り換え自在である。
【００３１】
計算画面について図７Ａ及び図７Ｂを参照しながら説明すると、計算画面は、対象部屋Ｒの容積やサイズに関する情報を入力する範囲（以下、第一入力範囲Ｘ１）と、対象部屋換気の規模に関する情報を入力する範囲（以下、第二入力範囲Ｘ２）と、を有する。第一入力範囲Ｘ１では、対象部屋Ｒの幅（図１中、記号ｗにて示す）、奥行（図１中、記号ｄにて示す）及び高さが入力される。第二入力範囲Ｘ２では、対象部屋Ｒに対して設けられた不図示の換気設備による強制換気の実施回数（詳しくは、１時間あたりの実施回数）が入力される。
【００３２】
また、計算画面は、固定壁や気流変化部材に関する情報を入力する範囲（以下、第三入力範囲Ｘ３）を有する。ここで、固定壁とは、対象部屋Ｒの仕切り壁（外壁）のことである。気流変化部材とは、気流と衝突することで気流の向きや速さを変えるものであり、具体的には垂壁や整流板、バッフル等の遮蔽物が該当する。そして、第三入力範囲Ｘ３では、固定壁の配置パターンが入力され、具体的には、固定壁の枚数及び配置位置が異なる５つのパターン（図７Ａに図示したパターンＡ〜Ｅ）の中から一つを選択し、その選択結果を入力する。また、第三入力範囲Ｘ３では、空気清浄装置ＣＭの配置場所付近に気流変化部材が配置されているか否か、さらに、気流変化部材が配置されている場合には当該気流変化部材のサイズ（厳密には、気流変化部材を正面から見たときのサイズと、側方から見たときのサイズ）が入力される。
【００３３】
また、計算画面は、対象部屋Ｒに設置される空気清浄装置ＣＭのサイズやタイプに関する情報を入力する範囲（以下、第四入力範囲Ｘ４）と、対象部屋Ｒにおける空気清浄装置ＣＭの配置パターンに関する情報を入力する範囲（以下、第五入力範囲Ｘ５）と、を有する。第四入力範囲Ｘ４では、空気清浄装置ＣＭのタイプと、空気清浄装置ＣＭに設けられている植栽ボックスＣｂの個数（ユニット数）とが入力される。第五入力範囲Ｘ５では、対象部屋Ｒの境界部分Ａｒ３に複数の空気清浄装置ＣＭを所定間隔毎に並べるときの配置パターンが入力され、具体的には、図８Ａに図示の第一パターン又は図８Ｂに図示の第二パターンのいずれであるのかが入力される。なお、空気清浄装置ＣＭの配置パターンは、図８Ａ及び図８Ｂに図示のパターンに限定されず、自由に決定してもよい。
【００３４】
さらに、計算画面は、空気浄化目標に関する情報を入力する範囲（以下、第六入力範囲Ｘ６）を有する。ここで、空気浄化目標とは、喫煙エリアＡｒ１の空気を境界部分Ａｒ３に設置された空気清浄装置ＣＭによって浄化したときの禁煙エリアＡｒ２内の空気状態に対して設定された目標である。具体的に説明すると、禁煙エリアＡｒ２における臭気強度に対して設定された目標値が空気浄化目標に該当し、本実施形態では６段階の数値で評価される。第六入力範囲Ｘ６では、空気清浄装置ＣＭの設置場所から臭気強度の判定地点までの距離、及び、空気浄化目標である臭気強度の目標値（厳密には、６段階の数値のうち、当該目標値に相当する数値）が入力される。
【００３５】
なお、本実施形態では、臭気強度として、複合臭（具体的にはタバコ臭）の臭気強度を採用しているが、単一の臭気物質（例えばアンモニア）の臭気強度を採用してもよい。
【００３６】
そして、入力受付部１１は、上述した計算画面中の各入力範囲で行われる各種情報の入力を受け付ける。なお、入力された情報は、第一情報記憶部１２、第二情報記憶部１３、第三情報記憶部１４及び目標記憶部１５のうち、対応する記憶部に記憶されるようになっている。
【００３７】
ちなみに、上述した入力情報は、あくまでも一例に過ぎず、上述の項目以外の項目についての情報が入力されてもよい。また、上述の項目すべてについて情報を入力する必要はなく、一部の項目についての情報の入力が行われなくてもよい。
【００３８】
第一情報記憶部１２は、対象部屋Ｒに関する情報として、対象部屋Ｒ内における空気清浄装置ＣＭの設置場所での気流（以下、ベース気流）の速さに影響を及ぼすパラメータに関する第一情報を記憶する。ここで、ベース気流は、対象部屋Ｒ内を喫煙エリアＡｒ１（厳密には、喫煙エリアＡｒ１に設けられた対象部屋Ｒの入口ドアＲ１）から禁煙エリアＡｒ２（厳密には、禁煙エリアＡｒ２に設けられた換気口Ｒ２）に向かって流れる気流である。
【００３９】
第一情報について詳しく説明すると、計算画面の第一入力範囲Ｘ１にて入力された情報、具体的には対象部屋Ｒの幅、奥行及び高さ、並びにこれらの情報を基に算出される情報、具体的には対象部屋Ｒの横断面の面積（図１中、Ａ−Ａ断面にて対象部屋Ｒを切断した際の断面積）、縦断面の面積（図１中、Ｂ−Ｂ断面にて対象部屋Ｒを切断した際の断面積）、及び対象部屋Ｒの容積が第一情報に該当する。なお、対象部屋Ｒの横断面の面積、縦断面の面積及び容積については、対象部屋Ｒの幅、奥行及び高さが入力された時点で処理実行部１６によって自動計算されることになっている。
【００４０】
また、計算画面の第二入力範囲Ｘ２にて入力された情報、具体的には強制換気の実施回数も第一情報に該当し、１時間あたりの外気取り込み量もまた第一情報に該当する。なお、１時間あたりの外気取り込み量については、対象部屋Ｒの容積の計算結果と強制換気の実施回数とに基づき、処理実行部１６によって自動計算されることになっている。
【００４１】
さらに、計算画面の第三入力範囲Ｘ３にて入力された情報、具体的には、対象部屋Ｒにおける固定壁の配置パターン、及び、空気清浄装置ＣＭの配置場所付近に気流変化部材が配置されている場合の当該気流変化部材のサイズも第一情報に該当する。さらに、気流変化部材のサイズを基に導き出される情報、具体的には、対象部屋Ｒ中、気流変化部材と隣り合う位置に形成された開口部のサイズもまた第一情報に該当する。なお、開口部のサイズについては、気流変化部材のサイズが入力された時点で処理実行部１６によって自動計算されることになっている。
【００４２】
第二情報記憶部１３は、対象部屋Ｒにおける空気清浄装置ＣＭの設置場所でのベース気流の速さと当該設置場所に設置された空気清浄装置ＣＭによる空気の浄化度合いとの関係を示す第二情報を記憶する。「空気の浄化度合い」とは、あるベース気流の速さの下で空気清浄装置ＣＭが被浄化空気を浄化した際の浄化度合いを意味する。なお、空気の浄化度合いは、喫煙エリアＡｒ１の空気を空気清浄装置ＣＭによって浄化（脱臭）したときの喫煙エリアＡｒ１から禁煙エリアＡｒ２への臭気の漏れ込みと言い換えられる。
【００４３】
ベース気流の速さと空気清浄装置ＣＭによる空気の浄化度合いとの関係について説明すると、本実施形態の空気清浄装置ＣＭによって喫煙エリアＡｒ１の空気を浄化（脱臭）した際、禁煙エリアＡｒ２への臭気の漏れ込みは、ベース気流の速さが小さいほど大きくなり、速さが大きくなるほど改善される。
【００４４】
より具体的に説明すると、禁煙エリアＡｒ２への臭気の漏れ込みの度合いは、ベース気流の風速に応じて以下のような傾向を示す。
（１）ベース気流の風速が０．０１０ｍ／ｓ以下であるとき、空気清浄開始から３０秒が経過した後にも禁煙エリアＡｒ２への臭気の漏れ込みが拡大する。
（２）ベース気流の風速が０．０１５ｍ／ｓであるとき、空気清浄開始から３０秒が経過するまで禁煙エリアＡｒ２への臭気の漏れ込みが拡大するが、３０秒経過後には顕著な漏れ込みがなくなる。
（３）ベース気流の風速が０．０２０ｍ／ｓであるとき、空気清浄開始から２０秒が経過するまで禁煙エリアＡｒ２への臭気の漏れ込みが拡大するが、２０秒経過後には顕著な漏れ込みがなくなり、空気清浄装置ＣＭから１０００ｍｍ離れた判定地点での臭気強度が所定値未満（タバコ臭が検出されないレベル）となる。
（４）ベース気流の風速が０．０２５ｍ／ｓであるとき、空気清浄開始から１０秒が経過するまで禁煙エリアＡｒ２への臭気の漏れ込みが拡大するが、１０秒経過後には顕著な漏れ込みがなくなり、空気清浄装置ＣＭから１０００ｍｍ離れた判定地点での臭気強度が所定値未満（タバコ臭が検出されないレベル）となる。
（５）ベース気流の風速が０．０５０ｍ／ｓ以上であるとき、禁煙エリアＡｒ２への臭気の顕著な漏れ込みはなく、空気清浄装置ＣＭから１０００ｍｍ離れた判定地点での臭気強度が所定値未満（タバコ臭が検出されないレベル）となる。
【００４５】
第二情報記憶部１３は、上記の傾向を定量化し、定量化された上記の傾向に関する情報を第二情報として記憶している。なお、ベース気流の速さと空気清浄装置ＣＭによる空気の浄化度合いとの関係は、上述の傾向に限定されるものではなく、空気清浄装置ＣＭの仕様や性能に応じて変わり得るものである。
【００４６】
第三情報記憶部１４は、空気清浄装置ＣＭに関する情報を第三情報として記憶する。第三情報について詳しく説明すると、空気清浄装置ＣＭのサイズ及びタイプ、並びに対象部屋Ｒにおける空気清浄装置ＣＭの配置パターンが第三情報に該当する。
【００４７】
より具体的に説明すると、計算画面の第四入力範囲Ｘ４に入力される空気清浄装置ＣＭのタイプ及び空気清浄装置ＣＭ内に設けられている植栽ボックスＣｂの個数が第三情報に該当する。ここで、空気清浄装置ＣＭのタイプに関する情報は、空気清浄装置ＣＭが横置き式のタイプであるのか縦置き式のタイプであるのかを示す情報である。
【００４８】
また、空気清浄装置ＣＭのタイプや植栽ボックスＣｂの個数を基に算出される情報、具体的には、空気清浄装置ＣＭの横幅、高さ及び正面視のサイズ（面積）もまた第三情報に該当する。なお、空気清浄装置ＣＭの横幅、高さ及び正面視のサイズについては、空気清浄装置ＣＭのタイプや植栽ボックスＣｂの個数が入力された時点で処理実行部１６によって自動計算されることになっている。
【００４９】
また、計算画面の第五入力範囲Ｘ５にて入力された情報、具体的には、対象部屋Ｒにおける空気清浄装置ＣＭの配置パターンに関する情報（厳密には、第一パターン及び第二パターンのいずれであるかを示す情報）も第三情報に該当する。
【００５０】
目標記憶部１５は、境界部分Ａｒ３に設置された空気清浄装置ＣＭによって喫煙エリアＡｒ１の空気を脱臭した場合の禁煙エリアＡｒ２における臭気強度に対して設定された目標、すなわち空気浄化目標を記憶する。具体的に説明すると、目標記憶部１５は、計算画面の第六入力範囲Ｘ６にて入力された空気清浄装置ＣＭの設置場所から臭気強度の判定地点までの距離、及び、禁煙エリアＡｒ２における臭気強度の目標値を記憶する。また、目標記憶部１５は、臭気低減率の目標値を空気浄化目標として記憶する。ここで、臭気低減率とは、予め設定された喫煙エリアＡｒ１における臭気強度と、入力された禁煙エリアＡｒ２における臭気強度の目標値との差に応じて算出される値であり、厳密に説明すると、両者の臭気強度の差をｎとしたときに（１／１０）のｎ乗に相当する値である。なお、臭気低減率については、禁煙エリアＡｒ２における臭気強度の目標値が入力された時点で、処理実行部１６によって自動計算されることになっている。
【００５１】
処理実行部１６は、空気浄化目標が満たされる条件として、禁煙エリアＡｒ２における臭気強度を目標値以下に抑えるのに最低限必要となる空気清浄装置ＣＭの設置台数を、前述した第一情報、第二情報及び第三情報に基づいて特定するための演算処理を実行する。演算処理の内容について説明すると、演算処理において、処理実行部１６は、先ず、第一情報記憶部１２に記憶された第一情報及び第三情報記憶部１４に記憶された第三情報に基づいて、ベース気流の速さ（すなわち、空気清浄装置ＣＭの設置場所での気流の速さ）を算出する。なお、ベース気流の速さを算出する方法としては、公知の気流解析方法が適用可能であるが、その詳細については説明を省略することとする。
【００５２】
ベース気流の速さを算出した後、処理実行部１６は、対象部屋Ｒの境界部分Ａｒ３において並べられる空気清浄装置ＣＭ同士の間に確保すべき間隔（以下、装置間隔）を、算出したベース気流の速さに応じて決定する。具体的には、ベース気流の速さに応じて装置間隔の推奨値が予め決められており、その対応関係が本装置１に記憶されている。処理実行部１６は、当該対応関係を参照して、ベース気流の速さに応じた推奨値を割り出し、その推奨値を装置間隔として特定する。
【００５３】
その後、処理実行部１６は、算出したベース気流の速さと、特定した装置間隔と、第二情報記憶部１３に記憶された第二情報（すなわち、ベース気流の速さと空気清浄装置ＣＭによる空気の浄化度合いとの関係）と基づいて、空気浄化目標が達成されるのに必要な空気清浄装置ＣＭの設置台数を特定する。具体的に説明すると、処理実行部１６は、算出したベース気流の速さの下で空気清浄装置ＣＭが喫煙エリアＡｒ１の空気を浄化した場合の浄化度合いを、第二情報に基づいて特定する。そして、処理実行部１６は、特定した浄化度合いに基づいて、空気浄化目標が達成されるのに必要な空気清浄装置ＣＭの設置台数を特定する。この際、処理実行部１６は、計算画面の第五入力範囲Ｘ５にて入力された配置パターンにて対象部屋Ｒの境界部分Ａｒ３に複数の空気清浄装置ＣＭを所定間隔毎（具体的には装置間隔毎）に並べた場合の設置台数を特定する。
【００５４】
出力部１７は、処理実行部１６が上記の演算処理にて特定した事項、具体的には空気清浄装置ＣＭの装置間隔と必要設置台数を出力する。本実施形態において、出力部１７は、本装置１を構成するコンピュータのディスプレイに上記の特定結果を表示し、より具体的には、図７Ｂに示すように計算画面中の所定範囲に表示する。なお、演算処理にて特定した事項を出力する方法については、上記のようにディスプレイに表示する方法に限られず、上記の事項を不図示のプリンタによって印字させる方法であってもよい。
【００５５】
＜＜本実施形態における条件設定支援方法について＞＞
次に、本実施形態における条件設定支援方法について説明する。本装置１を構成するコンピュータは、図９に図示した一連のステップ（以下、条件設定フロー）を行うことで、空気浄化目標が達成される条件、具体的には空気清浄装置ＣＭの必要設置台数を設定する。そして、条件設定フローでは、本実施形態における条件設定支援方法が採用されており、上記のコンピュータは、当該方法に則って空気清浄装置ＣＭの必要設置台数を設定する。つまり、条件設定フロー中の各ステップは、本実施形態における条件設定支援方法を構成することになる。
【００５６】
以下、図９を参照しながら条件設定フローについて説明する。なお、図９は、条件設定フローの流れの一例を示した図であるが、同図が示す手順に限定されるものではなく、図中のステップの一部（例えば、Ｓ００１〜Ｓ００６）が入れ替わってもよい。
【００５７】
条件設定フローは、本装置１を構成するコンピュータのユーザ（すなわち、対象部屋Ｒの設計者）が条件設定支援用プログラムを起動する操作を行うことをトリガーとして開始される。条件設定フローが開始されると、先ず、上記のコンピュータのディスプレイに図７Ａ及び図７Ｂに図示の計算画面が描画されるようになる。
【００５８】
そして、ユーザが計算画面を通じて各種の情報を入力すると、上記のコンピュータが当該入力を受け付ける。具体的に説明すると、ユーザが計算画面の第一入力範囲Ｘ１に対象部屋Ｒのサイズ等に関する情報を入力すると、上記のコンピュータが当該入力を受け付け、入力された情報を第一情報記憶部１２に記憶する（Ｓ００１）。なお、本ステップＳ００１にて入力される情報は、対象部屋Ｒの幅、奥行及び高さであり、第一情報に該当する。また、上記の情報が入力されると、当該情報に基づき、対象部屋Ｒの横断面の面積、縦断面の面積及び容積が自動計算され、その計算結果も第一情報として第一情報記憶部１２に記憶される。
【００５９】
また、ユーザが計算画面の第二入力範囲Ｘ２に対象部屋Ｒにおける換気回数に関する情報を入力すると、上記のコンピュータが当該入力を受け付け、入力された情報を第一情報記憶部１２に記憶する（Ｓ００２）。なお、本ステップＳ００２にて入力される情報は、対象部屋Ｒにおける強制換気の実施回数であり、第一情報に該当する。また、強制換気の実施回数が入力されると、この情報に基づいて１時間あたりの外気取り込み量が自動計算され、その計算結果も第一情報として第一情報記憶部１２に記憶される。
【００６０】
また、ユーザが計算画面の第三入力範囲Ｘ３にて対象部屋Ｒにおける固定壁や気流変化部材に関する情報を入力すると、上記のコンピュータが当該入力を受け付け、入力された情報を第一情報記憶部１２に記憶する（Ｓ００３）。なお、本ステップＳ００３にて入力される情報は、対象部屋Ｒにおける固定壁の配置パターン、空気清浄装置ＣＭの配置場所付近における気流変化部材の配置の有無、及び配置有り場合の気流変化部材のサイズであり、第一情報に該当する。また、上記の情報が入力されると、当該情報に基づき、対象部屋Ｒにおいて気流変化部材と隣り合う位置に形成される開口部のサイズが自動計算され、その計算結果も第一情報として第一情報記憶部１２に記憶される。
【００６１】
また、ユーザが計算画面の第四入力範囲Ｘ４にて空気清浄装置ＣＭに関する情報を入力すると、上記のコンピュータが当該入力を受け付け、入力された情報を第三情報記憶部１４に記憶する（Ｓ００４）。なお、本ステップＳ００４にて入力される情報は、空気清浄装置ＣＭのタイプ及び空気清浄装置ＣＭ内に設けられている植栽ボックスＣｂの個数であり、第三情報に該当する。また、上記の情報が入力されると、当該情報に基づき、空気清浄装置ＣＭの横幅、高さ及び正面視のサイズが自動計算され、その計算結果も第三情報として第三情報記憶部１４に記憶される。
【００６２】
また、ユーザが計算画面の第五入力範囲Ｘ５にて空気清浄装置ＣＭの配置パターンに関する情報を入力すると、上記のコンピュータが当該入力を受け付け、入力された情報を第三情報記憶部１４に記憶する（Ｓ００５）。なお、本ステップＳ００５にて入力される情報は、空気清浄装置ＣＭの配置パターンが第一パターン及び第二パターンのいずれであるかを示す情報であり、第三情報に該当する。
【００６３】
また、ユーザが計算画面の第六入力範囲Ｘ６にて空気浄化目標を入力すると、上記のコンピュータが当該入力を受け付け、入力された空気浄化目標を目標記憶部１５に記憶する（Ｓ００６）。なお、本ステップＳ００６では、空気清浄装置ＣＭの設置場所から臭気強度の判定地点までの距離、及び、禁煙エリアＡｒ２における臭気強度の目標値が入力される。また、上記の情報が入力されると、当該情報に基づき、前述の臭気低減率が自動計算され、その計算結果も空気浄化目標として目標記憶部１５に記憶される。
【００６４】
一方、上記のコンピュータは、対象部屋Ｒにおける空気清浄装置ＣＭの設置場所でのベース気流の速さと当該設置場所に設置された空気清浄装置ＣＭによる空気の浄化度合いとの関係を示す情報、すなわち、第二情報を第二情報記憶部１３に予め記憶している。
【００６５】
そして、計算画面上での情報入力及び入力情報の記憶が完了した後、上記のコンピュータ（厳密には処理実行部１６）は、空気浄化目標が達成される上で空気清浄装置ＣＭが満たすべき条件を特定する演算処理を実行する。具体的に説明すると、演算処理において、上記のコンピュータは、先ず、第一情報記憶部１２に記憶された第一情報及び第三情報記憶部１４に記憶された第三情報に基づいて、ベース気流の速さ（すなわち、空気清浄装置ＣＭの設置場所での気流の速さ）を算出する（Ｓ００７）。
【００６６】
その後、上記のコンピュータは、対象部屋Ｒの境界部分Ａｒ３において並べられる空気清浄装置ＣＭ同士の間に確保すべき間隔（すなわち、装置間隔の推奨値）を、前ステップＳ００７で算出したベース気流の速さに応じて特定する（Ｓ００８）。
【００６７】
さらに、上記のコンピュータは、ステップＳ００７で算出したベース気流の速さと、ステップＳ００８で特定した装置間隔と、第二情報記憶部１３に記憶された第二情報と基づいて、空気浄化目標が達成されるのに必要な空気清浄装置ＣＭの設置台数を特定する（Ｓ００９）。この際、処理実行部１６は、ステップＳ００５にて入力された配置パターンにて対象部屋Ｒの境界部分Ａｒ３に複数の空気清浄装置ＣＭを所定間隔毎（具体的には装置間隔毎）に並べた場合の設置台数を特定する。
【００６８】
演算処理の実行後、上記のコンピュータ（厳密には出力部１７）は、演算処理にて特定した事項、具体的には空気清浄装置ＣＭの装置間隔と必要設置台数を出力し、具体的にはディスプレイに描画された計算画面中の所定範囲に表示する（Ｓ０１０）。そして、上記一連のステップが終了した時点で条件設定フローが終了する。
【００６９】
＜＜本実施形態の条件設定支援装置の有効性について＞＞
本装置１は、上述したように、禁煙エリアＡｒ２内における臭気強度を目標値以下に抑えるために必要な空気清浄装置ＣＭの設置台数を特定することが可能である。また、本装置１は、空気清浄装置ＣＭの必要設置台数を特定する際に、その設置場所におけるベース気流の速さと空気の浄化度合いとの関係に基づいて特定する。すなわち、本実施形態では、空気清浄装置ＣＭの設置場所でのベース気流の速さを考慮して、空気浄化目標が達成されるのに必要な空気清浄装置ＣＭの必要設置台数を特定する。このような効果は、本実施形態の空気清浄装置ＣＭのように、ベース気流の速さに応じて浄化能力が変化する空気清浄装置を設置して部屋内の所定エリア（例えば、禁煙エリアＡｒ２）の空気状態を良好状態で維持する場合において、特に有効である。
【００７０】
なお、本実施形態では、空気清浄装置ＣＭの必要設置台数を特定するための演算処理を実行する際に、対象部屋Ｒに関する情報（第一情報）の他に、空気清浄装置ＣＭのサイズやタイプ並びに対象部屋Ｒにおける空気清浄装置ＣＭの配置パターンに関する情報を参照し、これらの情報に基づいて上記の演算処理を実行することとした。これにより、空気清浄装置ＣＭの設置場所でのベース気流の速さに加え、空気清浄装置ＣＭの形状や配置パターンを考慮しつつ、空気清浄装置ＣＭの必要設置台数を適切に設定することが可能となる。
【００７１】
＜＜その他の実施形態＞＞
上記の実施形態では、本発明の条件設定支援装置の構成について、一例を挙げて説明したが、その他の例も考えらえる。例えば、上記の実施形態では、空気浄化目標が達成される条件として、禁煙エリアＡｒ２内における臭気強度を目標値以下に抑えるために必要な空気清浄装置ＣＭの設置台数を設定することとした。ただし、これに限定されるものではなく、禁煙エリアＡｒ２内における臭気強度を目標値以下に抑える上で効果的な空気清浄装置ＣＭの配置パターンや装置仕様を設定してもよい。
【００７２】
また、上記の実施形態では、空気浄化目標が達成される条件として、空気清浄装置ＣＭに関して満たすべき条件が設定されることとした。一方、空気清浄装置ＣＭの設置台数や配置場所が制限される場合には、空気浄化目標を達成する上で、対象部屋Ｒの構造、特にベース気流の速さに影響を及ぼすパラメータを調整することになる。すなわち、空気浄化目標が達成される条件として、対象部屋Ｒに関して満たすべき条件が設定されるケースが考えらえる。かかるケースにおいて、本装置１の機能により、空気浄化目標が達成される上で対象部屋Ｒに関して満たすべき条件を特定してもよい。例えば、空気清浄装置ＣＭの設置台数が所定数に制限される前提の下で禁煙エリアＡｒ２内における臭気強度を目標値以下に抑えるために、対象部屋Ｒにおける各種パラメータの数値（具体的には、対象部屋Ｒの容積、換気回数、固定壁の配置パターン及び気流変化部材のサイズ等）を設定してもよい。
【００７３】
また、上記の実施形態では、禁煙エリアＡｒ２の空気状態として同エリアの臭気強度に着目し、当該臭気強度に対して目標を設定し、当該目標が達成される条件を設定することとした。ただし、空気状態については、臭気強度に限定されるものではなく、粉塵濃度（例えば、花粉、化学物質、ＰＭ２．５等の微粒子の濃度）や菌の含有量に着目し、その項目に対して目標を設定してもよい。
【００７４】
また、上記の実施形態では、本装置１が一台のコンピュータ（具体的には、対象部屋Ｒの設計者が利用するコンピュータ）によって構成されていることとした。ただし、これに限定されるものではなく、複数台のコンピュータによって本装置１を構成してもよい。すなわち、本装置１の一部の機能（例えば、第一情報記憶部１２）を担うコンピュータと、それ以外の機能を担うコンピュータとが別機器であってもよい。
【符号の説明】
【００７５】
１  本装置（条件設定装置）
１１  入力受付部
１２  第一情報記憶部
１３  第二情報記憶部
１４  第三情報記憶部
１５  目標記憶部
１６  処理実行部
１７  出力部
Ａｒ１  喫煙エリア（一方の空間）
Ａｒ２  禁煙エリア（他方の空間）
Ａｒ３  境界部分
ＣＭ  空気清浄装置
Ｃ１  植栽部
Ｃ２  補助脱臭部
Ｃ３  制御部
Ｃｂ  植栽ボックス
Ｃｂ１  植栽ポット、Ｃｂ２  土壌ケース
Ｃｂ３  外ケース、Ｃｂ４  後カバー
Ｃｆ  ＤＣファン
Ｃｐ  緑化用植物
Ｃｓ  土壌
Ｃｔ  光触媒
Ｒ  対象部屋（部屋）
Ｒ１  入口ドア、Ｒ２  換気口
【図１】
2018004156.tif 000003
【図２】
2018004156.tif 000004
【図３】
2018004156.tif 000005
【図４】
2018004156.tif 000006
【図５】
2018004156.tif 000007
【図６】
2018004156.tif 000008
【図７Ａ】
2018004156.tif 000009
【図７Ｂ】
2018004156.tif 000010
【図８Ａ】
2018004156.tif 000011
【図８Ｂ】
2018004156.tif 000012
【図９】
2018004156.tif 000013